(57)【要約】通信装置（１２）は、反復時間スロットの間に通信信号を送信する。この通信装置（１２）は、近接信号に基づき調整信号を発生する負荷サイクル調整信号発生装置（８２）を含む。制御装置（５４）は近接信号に応答し、反復時間スロットに関して送信負荷サイクルを調整し、時間スロット内に通信信号を送信する。通信信号はその後、アンテナ（７０）を介して発信される。
2004519946.tif 000002
【特許請求の範囲】
【請求項１】
反復時間スロットの間に通信信号を送信する通信装置であって、
近接信号を発生する近接センサと、
近接信号に応答して調整信号を発生する、負荷サイクル調整信号発生装置と、
調整信号に応答して、反復時間スロットに関して送信負荷サイクルを調整し、少なくとも一つの時間スロットの間に通信信号を送信する制御装置と、
通信信号を発信するアンテナと、
からなる装置。
【請求項２】
請求項１に記載の通信装置であって、近接信号が通信装置の物体との近接さに関係する装置。
【請求項３】
請求項１に記載の通信装置であって、近接センサが通信装置の人体との近接さに従って近接信号を発生する装置。
【請求項４】
請求項１に記載の通信装置であって、近接センサが近接信号を発生するスイッチを備え、近接信号は通信装置が物体に近いか否かを示す装置。
【請求項５】
請求項１に記載の通信装置であって、通信負荷サイクルのための通信資源割当て要求を送信する送信器をさらに含む装置。
【請求項６】
請求項５に記載の通信装置であって、送信器が、近接信号に基づき特定の送信パワーのための通信資源割当て要求を送信する装置。
【請求項７】
請求項１に記載の通信装置であって、制御装置が、近接信号に応答して、送信された通信信号のパワーを調整する装置。
【請求項８】
請求項１に記載の通信装置であって、負荷サイクルを選択するオプションを表示する表示画面をさらに含む装置。
【請求項９】
請求項１に記載の通信装置であって、負荷サイクルを調整するための手動調整装置をさらに含む装置。
【請求項１０】
請求項１に記載の通信装置であって、通信信号は、データパケットとして通信される装置。
【請求項１１】
請求項１０に記載の通信装置であって、通信資源割当て要求をパケット単位で送信する送信器を含む装置。
【請求項１２】
反復時間スロットの間に通信信号を送信する方法であって、
近接信号に応答して負荷サイクル調整信号を発生する工程と、
調整信号に応答して、反復時間スロットに関して負荷サイクルを調整し、少なくとも一つの時間スロットの間に通信信号を送信する工程と、
通信信号を発信する工程と、からなる方法。
【請求項１３】
請求項１２に記載の方法であって、負荷サイクル調整信号は、通信装置の物体との近接さに基づいて発生する方法。
【請求項１４】
請求項１２に記載の方法であって、負荷サイクル調整信号は、通信装置の人体との近接さに基づいて発生する方法。
【請求項１５】
請求項１２に記載の方法であって、送信負荷サイクルのための通信資源割当て要求を送信する工程をさらに含む方法。
【請求項１６】
請求項１５に記載の方法であって、通信資源割当て要求は、近接信号に基づく特定の送信パワーのためである方法。
【請求項１７】
請求項１５に記載の方法であって、通信資源割当て要求はパケット単位で送信される方法。
【請求項１８】
請求項１２に記載の方法であって、送信負荷サイクルは手動で調整される方法。
【発明の詳細な説明】
【０００１】
（技術分野）
一般に、本発明は、通信システム分野、特に、反復時間スロットの間に通信信号を送信する、通信装置に関するものである。
【０００２】
（発明の背景）
音声やデータメッセージを通信するための通信システムは、電話通信や無線通信システムに広範囲に利用されている。例えば、ＥＴＳＩ（欧州電気通信標準化機関（Ｅｕｒｏｐｅａｎ Ｔｅｌｅｃｏｍｍｕｎｉｃａｔｉｏｎ Ｓｔａｎｄａｒｄ Ｉｎｓｔｉｔｕｔｅ ））は、ＲＦ（無線周波）チャンネルによる、制御、音声及びデータ情報の通信に、ＴＤＭＡ（時間分割多元接続）を使用するＧＳＭ（移動通信のためのグローバルスタンダード）（Ｇｌｏｂａｌ Ｓｔａｎｄａｒｄ ｆｏｒ Ｍｏｂｉｌｅ Ｃｏｍｍｕｎｉｃａｔｉｏｎ））プロトコルを規定している。米国では、ＴＩＡ（電気通信工業会（Ｔｅｌｅｃｏｍｍｕｎｉｃａｔｉｏｎ Ｉｎｄｕｓｔｒｙ Ａｓｓｏｃｉａｔｉｏｎ））が、ＩＳ−１３６等の多くの中間標準（Ｉｎｔｅｒｉｍ   Ｓｔａｎｄａｒｄ）を発表している。そのような中間標準は音声とデータを加入者に送信することのできるＤ−ＡＭＰＳ（デジタルアドバンストモービルフォンサービス（Ｄｉｇｉｔａｌ Ａｄｖａｎｃｅｄ Ｍｏｂｉｌｅ Ｐｈｏｎｅ Ｓｅｒｖｉｃｅ） ）の様々なバージョンを定義する。ＧＰＲＳ（汎用パケットサービス）はＩＳ−１３６システム同様、ＧＳＭの全域で情報を送信、受信することのできる、音声ではない価値の加えられたサービスである。ＧＰＲＳは、今日のＧＳＭの回線交換データ（Ｃｉｒｃｕｉｔ Ｓｗｉｔｃｈｅｄ Ｄａｔａ ）とＳＭＳ（ ショートメッセージサービス（Ｓｈｏｒｔ Ｍｅｓｓａｇｅ Ｓｅｒｖｉｃｅ ）） を、８個の時間スロットを同時に使用して、毎秒１７１．２キロビット（ ｋｂｐｓ） までの理論最大速度に補足するものである。ＧＰＲＳはスペクトラム効率がよい為、ピーク時間だけに使用される空白容量を組み込む必要性が少ない。従ってＧＰＲＳは、ネットワークオペレータにネットワーク資源のダイナミックで融通性の高い最大限の使用を可能にし、またユーザに資源と収入の入手を可能にする。
【０００３】
ＧＰＲＳは、現存する回路スイッチのＧＳＭネットワークに、パケットベースのエアインターフェースを重ね合わせる事に関与し、それによりエンドユーザにパケットベースのデータサービスの使用の選択性を提供する。ＧＰＲＳを使用する事により、情報は、離れているが関連する“パケット”に分割され、送信され、受信端末にて再集合される。ＧＰＲＳはパケット交換形態である為、無線資源は、エンドユーザが実際にデータを送信又は受信したときにのみ使用される。固定された時間の中、エンドユーザの受信装置に無線チャンネルを提供するのではなく、利用可能な無線資源が数個の通信装置の間で並行して利用され、それにより多くのＧＰＲＳ利用者に、単一セル内での同一のバンド幅の利用が可能になる。サポートされる実際の利用者の数は、使用されているアプリケーションと、送信されるデータの量とによる。
【０００４】
時間が重要なアプリケーションにとって、高い即時性は非常に重要な特性である。無線カバレージを条件として、ＧＰＲＳはまた、必要性が生じた時に直ちに情報を送信又は受信できる、即時接続を促進する。ＧＰＲＳはまた、以前には回線交換データの速度（９．６ｋｂｐｓ）と１６０文字であるＳＭＳの長さによる制限のためＧＳＭネットワークでは入手できなかった、新しいアプリケーションを促進する。例えば、ＧＰＲＳは、現存するインターネットと、ＧＰＲＳ有効であるネットワークとの間の網間接続を可能にする事により、移動インターネット（Ｍｏｂｉｌｅ Ｉｎｔｅｒｎｅｔ） 機能を可能にする。このように、今日の固定インターネットにおいて利用されている、サービス、例えばＦＴＰ（ファイル送信プロトコル（Ｆｉｌｅ  Ｔｒａｎｓｆｅｒ  Ｐｒｏｔｏｃｏｌ）、ウェブ閲覧、チャット、ｅメール、ネット電話が、全てＧＰＲＳ有効であるネットワークにおいて利用可能となる。
【０００５】
無線チャンネルで通信される通信信号は、物体や人体に近接している場合、影響を受けることが知られている。通信装置が電磁波を物体に近接した所で送信すると、電磁波は物体の方角で妨害、抑制されることがある。電磁波に対する物体の影響は、通信装置の通信性能に影響を与えることがある。例えば、ＧＰＲＳを提供するシステムにおけるパケットデータ送信は、ＧＰＲＳ有効な通信装置が物体に近接している時、質が悪化する。
【０００６】
従って、通信装置が物体に近接している時の通信性能の向上が必要とされる。
【０００７】
（発明の詳細な説明）
本発明は、反復時間スロットの間に通信信号を送信する通信装置に関するものである。例えば、ＧＰＲＳをサポートするＧＳＭのような、ＴＤＭＡ系では、反復時間フレームは８個の時間スロットに分割される。この通信装置もまたＧＰＲＳ有効であるが、どの時間スロット内でもデータを送信することができる。通信装置は、調整信号を発生する負荷サイクル調製信号発生装置を含む。調整信号は、時間フレーム内の反復時間スロットに関して送信負荷サイクルを調整するため使用され、一つ又はそれより多い時間スロットの間に通信信号を送信する。負荷サイクルは通信信号が時間フレーム内に送信される時間の百分率である。ＧＳＭ／ＧＰＲＳ系では、例えば、８個の時間スロットの全ての間のデータ送信は、最も高いデータ速度を提供する１００パーセント送信負荷サイクルに対応する。５０パーセント送信負荷サイクルについては、通信装置はより低いデータ速度で時間フレームの４個の時間スロットの間を送信する。即ち、１００パーセント送信負荷サイクルデータ速度の半分のデータ速度である。本発明において、送信負荷サイクルは、それぞれより高い又は低いデータ速度を送信するために、送信負荷サイクルを増加又は減少させることにより調整する。通信装置はまた、調整された負荷サイクルに対応する、時間スロット内に通信信号を発信するアンテナを含む。
【０００８】
典型的な１実施態様において、負荷サイクル調整信号発生装置は、通信装置が物体、例えば人体の近接さに基づいて調整信号を発生するために、近接センサに応答する。近接信号を発生する近接センサは、例えば、物体が通信装置の作動近接の内側か外側かを決定するスイッチとなり得る。言い換えれば、近接信号は、通信装置が物体に近いか否かを指示するものである。ここで使用されるように、近接信号は、通信装置の位置及び／又は場所に関するいかなる信号にも応答する。例えば、位置は、通信装置が身につけられているか、又は人体の近辺にあるか否かに応答するものである。
【０００９】
他の典型的な実施態様によれば、この通信装置の使用者は、手動ユーザインターフェイスを可能にする調整手段を介し、手動操作によって送信負荷サイクルを調整することができる。例えば、使用者にはディスプレー画像で所望の送信負荷を選択するためのオプションが与えられる。代替として、調整装置は、負荷サイクル調整信号発生装置を介して、手動で送信負荷サイクルを調整するよう、調整信号を発生するために使用される制御であってもよい。
【００１０】
本発明のより詳細な特徴の一つによれば、発信された通信信号のパワーも、近接信号に基づくものであり得る。例えば、電磁放射のパワーは、通信装置が物体に近接していることに基づき増加あるいは減少され得る。
【００１１】
本発明のより詳細な特徴の一つによれば、通信装置は、特定の送信データ速度に対応する、資源を割当てるための、送信資源割当て要求を送信する調整信号に基づく送信器をも含む。例えば、ＧＰＲＳ配置においては、資源割当て要求は、各パケットデータ送信を開始する前に送信され得る。通信装置のコントローラは、各パケットデータが１パケットごとに送信される前に、多くの時間スロットの割当てのための要求を送信するために、調整信号に応答し得る。
【００１２】
図１を参照すると、本発明を有利に取り入れた通信システム１０のブロック図を示す。通信システム１０は、例えば、ＧＳＭ通信システムであり、複数の通信装置１２の、ワイヤレス音声とデータ通信を可能にするものである。ＧＳＭ通信システムの作動モードは、ＥＴＳＩドキュメントＥＴＳ３００  ５７３、ＥＴＳ３００  ５７４、及びＥＴＳ３００  ５７８に記述されている。従って、通信システム１０の作動は、当業者が本発明を製作し使用することが可能な範囲にのみ記述する。本発明はＧＳＭシステムにおける態様として記述されるが、当業者は、ＰＤＣ（パーソナルデジタルセルラ  （Ｐｅｒｓｏｎａｌ  Ｄｉｇｉｔａｌ   Ｃｅｌｌｕｌａｒ））、Ｄ−ＡＭＰＳ、ＵＭＴＳ（ユニバーサル移動テレコミュニケーション標準）、又はＣＤＭＡ（コード分割マルチプルアクセス）標準に基づいた幅広い様々な他の通信システムを利用することができる。同様に、本発明の移動パケットデータサービスは、ＣＤＰＤ（セルラデジタルパケットデータ）又はＵＭＴＳパケットデータのような他の標準に基づいていてもよい。
【００１３】
通信システム１０は、音声とパケットデータのコールと送信を取り扱うための、複数のレベルからなる階層的ネットワークとして設計されている。アップリンク及びダウンリンクＲＦチャンネルの割当てセットを使用し、通信システム１０内にて作動する数個の通信装置１２は、論理通信チャンネルを形成する割当て時間スロットを使用してコールに参加する。高い階層レベルにおいては、一つのＭＳＣ２６のみが図示されたＭＳＣ（移動通信交換局）の群が、コールの発生側から受信側までのルーティングを担当する。特にＭＳＣの群は、コールのセットアップ、制御及び終了と、テキストメッセージの放送を担当する。
【００１４】
低い階層レベルにおいて、ＭＳＣ２６の各々は、基地局のサブシステム群に接続されるが、そのうち一つの基地局ＢＳＳ２２のみを図示する。ＢＳＳ２２の主な機能は、無線資源管理である。例として、通信装置１２にて報告された受信信号強度に基づき、ＢＳＳ２２はハンドオーバーを開始するか否かを決定する。ＧＳＭ標準の元では、ＢＳＳ２２は、Ａ−インターフェースとして知られる標準インターフェースを使用してＭＳＣ２６と通信する。まだ低い階層レベルにおいては、ＢＳＳ２２の各々はベーストランシーバステーション群を制御し、そのうち一つのトランシーバステーションＢＴＳ２４のみを図示する。各ＢＴＳ２４は、アップリンク及びダウンリンクＲＦチャンネルを使用する数個のトランシーバ（ＴＲＸ’ｓ）を含み、特定の通常地形領域に供給する。従って、ＢＴＳ２４は主としてデータバーストを、指定セル内にて、通信装置１２へまた通信装置１２から送信及び受信するためのＲＦリンクを提供する。
【００１５】
典型的な実施態様においては、通信システム１０の移動データメッセージサービスを、ＧＰＲＳで定義された標準により提供する。通信システム１０に配置されたＧＰＲＳネットワーク１４は、他の物と一緒に、現存するＧＳＭノードを利用して、パケット交換をサポートし、インターネット１６、Ｘ−２５ネットワーク１８、及びプライベートネットワーク２０のような現存するパケットデータネットワークと網間接続する。通信装置１２は、音声サービスを取り扱うことに加え、ＧＰＲＳが備えられた移動パケットデータサービスをも取り扱うよう装備されている。このような通信装置１２の例としては、スマートフォン、パーソナルデジタルアシスタント（Ｐｅｒｓｏｎａｌ  Ｄｉｇｉｔａｌ   Ａｓｓｉｓｔａｎｔｓ（ＰＤＡ））、携帯電話と伴に、又は携帯電話なしで作動するラップトップ、又はパームトップのような携帯用のコンピュータなどがある。
【００１６】
音声トラフィックがＭＳＣ２６に記録される間、ＧＰＲＳパケットがＢＳＳ２２からサービングＧＰＲＳ支持ノード（Ｓｅｒｖｉｎｇ ＧＰＲＳ Ｓｕｐｐｏｒｔ Ｎｏｄｅ（ＳＧＳＮ） ）２８に送られる。ＳＧＳＮ２８は、カバーされたサービス領域内で通信装置を常時監視する一方、パケットデータを通信装置へおよび通信装置から送信および受信するＧＳＭインフラにおけるノードである。ＳＧＳＮ２８は、バックボーンネットワーク３２を介し、インターネット１６、Ｘ．２５ネットワーク１８、又はプライベートネットワーク２０のような他のネットワークとの接続を保つシステムであるＧＧＳＮ（ゲートウエイＧＰＲＳノード（Ｇａｔｅｗａｙ ＧＰＲＳ Ｓｕｐｐｏｒｔ Ｎｏｄｅ） ）３０と通信する。ＧＰＲＳネットワーク１４は、複数の供給ノードを使用することができるが、インターネット１６などの外部ネットワークと接続するためには一つのゲートウエイノードのみ必要とする。
【００１７】
通信装置１２は、パケットデータをＳＧＳＮ２８を介しＧＧＳＮ３０に送信し、ＧＧＳＮ３０は、所望のネットワークにより送信するためパケットデータを変換する。上述するように、所望のネットワークは、インターネット１６、Ｘ．２５ネットワーク１８又はプライベートネットワーク２０であり得る。例えば、通信装置１２にアドレスされたインターネット１６からのＩＰ（インターネットプロトコル）パケットは、ＧＧＳＮ３０に受信され、ＳＧＳＮ２８に転送され、その後通信装置１２に送信される。ＩＰパケット、又はＸ．２５パケットを各々の間で転送するために、ＳＧＳＮ２８とＧＧＳＮ３０は、ＧＰＲＳトンネルプロトコル（ＧＴＰ）と呼ばれる特別なプロトコルを使用してこれらパケットを封入する。該プロトコルは標準ＴＣＰ／ＩＰプロトコルのトップを超えて作動する。
【００１８】
ＭＳＣ２６とＳＧＳＮ２８は対応するＨＬＲ３４（ホームロケーションレジスタ８）とＶＬＲ３６（ビジターロケーションレジスタ）と関連し、これらはローミングとビリング目的のためユーザ／利用者間の情報を保持する。ＡＵＣ３８（認証センター（Ａｕｔｈｅｎｔｉｃａｔｉｏｎ Ｃｅｎｔｅｒ ））は、音声とデータコールを位置づける時、認証機能を提供する。点線で図示されるように、ＶＬＲ３６とＨＬＲ３４とＡＵＣ３８は、ネットワークが、関連する構成部分とノードの全てに完全なる接続性を与えている為、ＭＳＣ２６又はＳＧＳＮ２８の位置に物理的に関連されている必要はない。一般に、ＭＳＣ２６はＰＳＴＮ（アナログ電話回線）にも接続され、固定された地上ラインの利用者と移動の利用者との間の接続性を与える。
【００１９】
図２を参照し、通信システム１０と通信装置１２の間の通信データパケットの通信プロトコルスタック４０を解説する。とりわけプロトコルスタック４０は、データパケットセグメントを暗号化し圧縮するＳＮＤＣＰ（サブ−ネットワーク依存制御プロトコル）層と、下層のエア又は無線インターフェースをＳＧＳＮ２８とリンクさせるＬＬＣ（論理リンク制御）層と、誤訂正をサポートするＲＬＣ（無線リンク制御）層と、スロット化したＡＬＯＨＡスキームをサポートするＭＡＣ（ミディアムアクセス制御）層と、パケットをフレーム化、コード化し、また物理媒体エラーを取り扱うＰＬＬ（物理リンクサブ層）と、送信されたパケットを、無線周波チャンネルを介し変調し復調するＲＦ（無線周波）層（ＲＦＬ）とから構成される。ＳＧＳＮ２８とＧＧＳＮ３０の詳細としては、両者とも不可視であり、たった今ワイヤレスになった直接のＩＰ、又はＸ．２５接続を受けるだけの使用者には関係がない。上述するように、ＧＳＭ／ＧＰＲＳ実装での無線周波チャンネルは、８個の時間スロットからなる反復フレームに分割される。無線インターフェース４２において、ＩＰ／Ｘ．２５パケットは、有線ネットワークで使用される必要なプロトコルスタック４４に変換される。
【００２０】
図３を参照すると、図は、通信システム１０のエアインターフェースを示している。図示するように、通信チャンネルは、特定の搬送波周波数を有するＲＦチャンネルＦ１，Ｆ２，Ｆ３，及びＦ４から構成される。通信システム１０において、ＲＦチャンネル（アップリンク又はダウンリンク）は反復時間フレームに分割され、その間音声及びデータが通信される。各反復時間フレームは、スーパーフレーム又はハイパーフレームであり得るが、音声パケット３０２，３０４，又はＧＰＲＳパケット３０６，３０８，３１０のような情報のパケットを運ぶ時間スロット（０〜７）、又は論理チャンネルに分割される。話した音声は、トラフィックチャンネル（ＴＣＨ）として指定された論理チャンネルの間送信される。開始、ハンドオーバー、終了を含む、システムにおけるコールの取り扱いに属する信号機能の全ては、専用する、又は関連する信号チャンネルであり得る信号チャンネルによって送信される情報を介して操作される。
【００２１】
図４を参照し、本発明に従った基地局開始によるデータ送信４６をシーケンス図にて解説する。データ送信プロセス４６において、ＢＳＳ２２は、パケットページング要求を通信装置１２に送り、データ送信プロセス４６を開始する。通信装置１２から送信チャンネルを要求するＢＳＳ２２へのパケットチャンネル要求に応答して、ＢＳＳ２２はパケットチャンネル割当てを通信装置１２に送信する。パケットページング応答を送信しパケット資源割当てを受信する、通信装置１２に応答して、ＢＳＳ２２はパケットを送信し、送信を完成する様々な肯定応答とエラーチェックをし続ける。
【００２２】
図５を参照し、本発明に従った通信装置開始によるデータ送信４８をシーケンス図にて解説する。通信装置開始によるデータ送信４８において、通信装置１２は、パケットチャンネル要求をＢＳＳ２２に送信し、送信周波数チャンネルと時間スロットを要求する。通信装置１２が一度パケット周波数チャンネル割当てを受信すると、通信装置１２は、通信資源割当て要求と呼ばれるパケット資源要求を、ＢＳＳ２２に送信する。ＢＳＳ２２はその後、資源を通信装置１２に割当て、これは例えば割当てられた時間スロットの数と関連する、要求され、又は割当てられた送信負荷サイクルに応答し得る通信装置１２へ割当てる。通信装置１２は、その後パケットを送信し、送信を完成する様々な肯定応答とエラーチェックをし続ける。
【００２３】
図６を参照して、本発明を組み込んだ通信装置１２のブロック図を示す。通信装置１２は、音声サービスと共に、データサービスをサポートしている。本発明の好ましい実施態様において、通信装置１２は、一つ又はそれより多いＲＦチャンネルによって音声データとパケットデータを通信するために送信及び受信モードにて作動する携帯用の双方向の装置である。典型的な一態様において、通信装置１２は図１の通信システム内にて作動することができ、ＧＳＭ／ＧＰＲＳプロトコルを使用してカバレージ領域内にて音声とデータのサービスを提供する。上述するように、通信装置１２はＧＳＭ、ＩＳ−１３６標準に基づくシステムを含め、幅広い範囲の通信システム１０にて採用することができる。これらいずれのシステムにおいても、ユーザは本発明による通信装置１２を使用して、他のユーザとの間で音声とデータのサービスを確立することができる。
【００２４】
通信装置１２は、特定の通信プロトコルの元でデュープレックスデータ通信を提供する、制御装置５４の制御の元で作動する。本発明の典型的な態様において、制御装置５４は、反復時間フレームに分割された無線周波チャンネルを使用して、デュープレックス通信サービスを提供するようプログラムされている。ＧＳＭプロトコルの元で、例えば、各時間フレームは８個の時間スロットに分割される。
【００２５】
送信モードにおいて、通信装置１２は、ユーザの声に応答する音声信号を発生するマイクロフォン５６を含む。音声信号は、当業者によく知られる方法によって、音声データコーデック５０を使用して音声データに変換される。通信装置１２はまた、制御装置５４制御の元で、例えばユーザインターフェイス６２より受信した    ユーザインプットに基づき、パケットデータエンコーダ５２を使用してパケットデータを発生する。送信データベースバンドプロセッサ６４は、通信装置１２にて発生した音声データとパケットデータを処理する。特定の変換技術に基づき、変換器６６は、ベースバンド処理された音声データ及びパケットデータを変換して、変換信号を発生する。パワー増幅器６８は変換信号を増幅し、特定の周波数又は周波数スペクトラムの増幅変換通信信号を発生する。増幅変換信号は、アンテナ７０を介し、制御装置５４の制御の元でデュープレックスデータ通信を促進するＴＸ／ＲＸインターフェース７２を経由し、アンテナ７０により発信される。アンテナ７０は当業者に知られるいずれのアンテナでもよく、例えばモノポールアンテナ、ダイポールアンテナ、ダイポールアンテナ列、マイクロストリップアンテナ、及びプラズマアンテナがある。
【００２６】
受信モードでは、通信装置１２はアンテナ７０にて電磁放射を受信する。受信された電磁は受信機で処理され、当業者によく知られた方法により受信機／復調器７４を使用して復調される。その結果生じた通信信号は、ＴＲ／ＲＸインターフェース７２を経由し受信データベースバンドプロセッサ７６に連結される。通信信号は、受信データベースバンドプロセッサ７６を使用しパケットデータに分離され、パケットデータデコーダ６０と音声データコーデック５８にて処理される。音声データは、通信信号を変換して可聴音声にするため、スピーカ７８に送られる。パケットデータは、パケットデータを取り扱うバッファ８０に送られる。パケットデータはその後バッファ８０に送られ、バッファ８０はパケットデータを取り扱う。パケットデータはその後、インターフェース６２にロードされ、ユーザ間連絡がなされる。データ処理と制御機能とは、例えば、ベースバンド処理や他の機能を遂行するためにプログラムされた、周知のＤＳＰに組み込まれる事が好ましい。
【００２７】
本発明によれば、通信装置１２は、負荷サイクル調整信号を発生する負荷サイクル調整信号発生装置８２を含む。負荷サイクル調整信号は、稼働により近接信号を制御装置５４に送信する近接センサ８４によって発生した近接信号に基づき、発生され得る。近接センサ８４は、例えば、赤外線センサ、アンテナ位置センサ、通信装置ホルスタースイッチ、充電スイッチ、重力スイッチ、及びその他このような、人体と伴にある通信装置１２の存在を探知する通常の当業者に知られるどのようなスイッチでもよい。例えば、近接センサ８４が通信装置ホルスター内にある時、この場合探知信号はホルスターを占有する通信装置１２に応答するが、制御装置５４は通信装置１２が通信装置ホルスター内にあり、一般には人体と周知の距離内にあることを確認する。加えて、通信装置１２に関連したアンテナ７０が人体と既知の距離内にあることを確認する。負荷サイクル調整信号発生装置８２は、押しボタンスイッチ、ノブ、又はキーボードスイッチのような、ユーザが稼動する機構である手動調整インターフェース８６に応答することもでき、それにより負荷サイクル調整信号が発生する。
【００２８】
図７を参照し、本発明の方法をフロー図により解説する。上述するように、ブロック７１０では、通信装置１２は近接センサ８４により発生した近接信号に基づき、負荷サイクル調整信号を発生する。例えば、通信装置が人体に装着される時、近接信号は、通信装置が人体の近接にあることを示す信号を発生する。近接信号は、例えば、ユーザが通信装置を使用しているか否か、即ち、通信装置がホルスターや他の同様な機構内にある時など、通信装置１２がユーザの近接にあるか、を示す、通信装置１２に配置されたスイッチに基づくスイッチにより発生することができる。ブロック７１２では、負荷サイクル調整信号を発生する近接信号に応答して、人体が通信装置１２から近いか遠いかが決定され、通信装置１２の性能を向上させるために送信信号の送信負荷サイクルを調整する。
【００２９】
例えば、通信装置が人体の周辺に装着される時、負荷サイクルは減少し得る。一方、通信装置が人体の近接にない時、送信負荷サイクルは増加し得る。送信負荷サイクルが増加すると、送信に利用できる送信時間スロットの数が増加し、この場合通信装置１２は、時間フレーム内にてより長い時間に渡り送信することになる。送信負荷サイクルと同様に、制御装置５４は、近接信号に基づいて送信パワーを調整することができる。ブロック７１４では、いったん制御装置５４が負荷サイクルと通信信号のパワーを最終化すると、通信装置１２は、送信信号を電磁放射の形にてアンテナ７０から発信する。
【００３０】
例として、図８を参照すると、通信システム１０において、通信装置１２は、音声又はデータ通信のために８個の時間スロットの一つ又はそれより多く送信することができる。送信装置１２が８個の時間スロットの４個を送信する場合、対応する送信負荷サイクルは５０パーセント負荷サイクル８８になる。近接信号に基づいて、送信負荷サイクルは、例えば７５パーセント負荷サイクル９０となり得、この場合通信装置１２は、時間フレーム内にて８個の時間スロットの６個を送信する。
【００３１】
いったん制御装置が負荷サイクル調整信号を受信すると、通信装置１２は、通信資源割当て要求をＢＳＳ２２に送信する。配置の一つにおいて、所望の負荷サイクルは通信装置１２で決定され得る。例えば、負荷サイクルは、ユーザがデータ送信率を設定できるよう、手動調整にすることができる。通信装置キーボード、又はスイッチ、もしくは他の同様な機構を使用することができ、手動で所望の送信負荷サイクルを入力し、これもまた画面に表示される。この配置の元では、通信装置１２は、例えば、通信資源割当て要求を７５パーセント送信負荷サイクル送信する。ＢＳＳ２２はその後、８個の時間スロットの６個がいつ送信のため利用できるかを決定する。要求する負荷サイクルが収容されていない時、ＢＳＳ２２は利用可能な最大負荷サイクルを提供し、そうでない場合ＢＳＳ２２は要求を収容する。
【００３２】
他の配置の元では、ＢＳＳ２２は、近接信号に対応するデータに基づき送信負荷サイクルを通信装置１２に割当てることができ、送信負荷サイクルは通信装置１２からＢＳＳ２２に送信される。資源配分割当ては、ＢＳＳ２２により決定されるような利用可能な資源に基づくことができる。同様の方法で、通信装置１２は、特定の送信パワーの通信資源割当て要求を送信することができる。
【００３３】
各パケットデータ送信の開始時に、通信装置１２は送信された各パケットについての要求をＢＳＳ２２に送信する。ＢＳＳ２２は、その後通信資源割当て要求に関する応答を通信装置１２に、そして最終的に通信装置１２内の制御装置５４に送信する。制御装置５４は、その後通信装置１２の性能を向上させるために、送信負荷サイクルを調整する。送信負荷サイクルが増加すると、送信時間スロットの数が増加し、この場合通信装置１２は時間フレーム内にてより長い時間に渡り送信することになる。
【００３４】
前述の説明により、本発明は、近接センサと通信システム資源に基づいて、通信信号の負荷サイクルと、必要な場合は送信された信号のパワーとの両方を調整することにより、通信装置の性能を最大にする方法を提供するものである。通信装置１２の性能は、通信装置１２が身につけられ、その結果人体の相互作用が通信信号の送信の質を悪化させる時負荷サイクルを減少させ、通信装置１２が人体から離れた時負荷サイクルを増加させることにより最大になり、従って通信信号の送信が改良する。
【００３５】
本発明を、好ましい態様に関して詳細に説明してきたが、上記の説明から本発明から逸脱することなしに変更あるいは改良することが当業者にとって明らかである。従って、請求項に定義される本発明は、本発明の本来の趣旨に含まれるそのような変更あるいは改良をすべて包括するものとする。
【図面の簡単な説明】
【図１】本発明が有利に使用される通信装置のブロック図である。
【図２】図１の通信システムで使用されるＧＰＲＳプロトコル群である。
【図３】図１の通信システムの、ＧＰＲＳエアインターフェースの図である。
【図４】図１の通信システムの、基地局開始によるデータ送信のシーケンス図である。
【図５】図１の通信システムの、通信装置開始によるデータ送信のシーケンス図である。
【図６】本発明による通信装置の電気的ブロック図である。
【図７】本発明による方法のフロー図である。
【図８】反復時間スロットに分割された、通信チャンネルの典型的なタイミング図である。
【図１】
2004519946.tif 000003
【図２】
2004519946.tif 000004
【図３】
2004519946.tif 000005
【図４】
2004519946.tif 000006
【図５】
2004519946.tif 000007
【図６】
2004519946.tif 000008
【図７】
2004519946.tif 000009
【図８】
2004519946.tif 000010
【国際公開パンフレット】
2004519946.tif 000011
2004519946.tif 000012
2004519946.tif 000013
2004519946.tif 000014
2004519946.tif 000015
2004519946.tif 000016
2004519946.tif 000017
2004519946.tif 000018
2004519946.tif 000019
2004519946.tif 000020
2004519946.tif 000021
2004519946.tif 000022
2004519946.tif 000023
2004519946.tif 000024
2004519946.tif 000025
2004519946.tif 000026
2004519946.tif 000027
2004519946.tif 000028
2004519946.tif 000029
2004519946.tif 000030
2004519946.tif 000031
2004519946.tif 000032
2004519946.tif 000033
2004519946.tif 000034
2004519946.tif 000035
2004519946.tif 000036
【国際調査報告】
2004519946.tif 000037